(57)【要約】      （修正有）【課題】ヤキソバやチャーハンのように、具材の攪拌が料理の出来不出来に関わる調理を、電子レンジ調理でも適切に行うことができる電子レンジ用調理容器を提供する。【解決手段】電磁波を透過する耐熱材で形成された扁平の容器体及び前記容器体に嵌合被冠するドーム状の蓋体２とからなり、容器体及び蓋体に、蓋体を容器体に被冠装着した際に、両者を同時に保持できる両手把手部２４を設け、蓋体裏面に適宜高さの渦巻壁（内周壁部２１１，外周壁部２１２，一重壁部２１３）２１を設ける。電子レンジで所定時間加熱調理した後に、蓋体を装着した状態で上下に回すように振ると、加熱調理された具材全体が攪拌されると共に、特に具材が渦巻壁に衝突して程良く散ける。【選択図】図２
0003184589.tif 000002
【実用新案登録請求の範囲】
【請求項１】
電磁波を透過する耐熱材で形成された扁平の容器体及び前記容器体に嵌合被冠するドーム状の蓋体とからなり、蓋体裏面に適宜高さの渦巻壁を設けてなることを特徴とする電子レンジ用調理容器。
【請求項２】
容器体及び蓋体に、蓋体を容器体に被冠装着した際に、両者を同時に保持できる両手把手部を設けてなる請求項１記載の電子レンジ用調理容器
【請求項３】
蓋体に容器体の開口部に嵌合する下方周縁突部を設けると共に、下方周縁突部の外周を鍔状に形成してなる請求項２記載の電子レンジ用調理容器。
【請求項４】
渦巻壁がドーム形状に対応して下方に垂下してなる請求項１乃至３記載の何れかの電子レンジ用調理容器。
【請求項５】
容器体の容器部内径が１５０〜２００ｍｍφで、渦巻壁が二重巻部分と一重部分で形成され、二重壁部分の内周壁径が７０〜８０ｍｍφで、外周壁径が１２０〜１４０ｍｍφで壁高さが２５〜３０ｍｍである請求項４記載の電子レンジ用調理容器。
【考案の詳細な説明】
【技術分野】
【０００１】
本考案は、電子レンジを使用して所定の調理を行う電子レンジ用調理容器に関するものである。
【背景技術】
【０００２】
周知のとおり電子レンジ用調理容器は、一般的には電磁波を透過する耐熱材で形成されているもので、内部に調理対象物を収納し、電子レンジで調理するものである。特に所定の目的に対応する種々の調理容器が提案されている。
【０００３】
例えば特許文献１（特開２００９−２０１９４８号公報）や特許文献２（特開２０１３−３４６９２号公報）には、蓋体との密閉度を高めると共に内部圧力の調整機構を備えた容器が開示されている。また特許文献３（特開２０１０−１８３９９８号公報）には、蒸し調理用目皿を備えた容器が開示されている。
【先行技術文献】
【特許文献】
【０００４】
【特許文献１】特開２００９−２０１９４８号公報。
【特許文献２】特開２０１３−３４６９２号公報。
【特許文献３】特開２０１０−１８３９９８号公報。
【考案の概要】
【考案が解決しようとする課題】
【０００５】
ヤキソバ、チャーハンのようにフライパン等を使用して、食材を攪拌しながら調理する料理を、電子レンジを使用して調理する場合、必要な食材を容器内に収納し、電子レンジで加熱調理した後、箸やトング、或いはヘラ等を使用して攪拌して料理として供することになる。しかし加熱調理後に前記の器具等を使用して攪拌しても、フライパン等で調理した料理と比較すると、その攪拌具合が相違して必ずしも良い料理が出来上がるとは言えない。
【０００６】
そこで本考案は、ヤキソバやチャーハンのように、具材の攪拌が料理の出来不出来に関わる調理を、電子レンジ調理でも適切に行うことができる新規な電子レンジ用調理容器を提案したものである。
【課題を解決するための手段】
【０００７】
本考案（請求項１）に係る電子レンジ用調理容器は、電磁波を透過する耐熱材で形成された扁平の容器体及び前記容器体に嵌合被冠するドーム状の蓋体とからなり、蓋体裏面に適宜高さの渦巻壁を設けてなることを特徴とするものである。
【０００８】
而して容器体に調理対象の具材を収納し、蓋体を被冠装着して電子レンジで所定時間加熱調理した後に、蓋体を装着した状態で上下に回すように振ると、加熱調理された具材全体が攪拌されると共に、特に具材が渦巻壁に衝突して程良く散けるものである。
【０００９】
また本考案（請求項２）に係る電子レンジ用調理容器は、容器体及び蓋体に、蓋体を皿帯に被冠装着した際に、両者を同時に保持できる両手把手部を設けてなるもので、重なっている各把手部を保持することで加熱調理後の攪拌動作を容易に行うことができる。
【００１０】
更に本考案（請求項３）に係る電子レンジ用調理容器は蓋体に容器体の開口部に嵌合する下方周縁突部を設けると共に、下方周縁突部の外周を鍔状に形成してなるもので、容器体と蓋体を一体化させ、攪拌動作時に不用意な内部料理の飛散が防止される。
【考案の効果】
【００１１】
本考案の構成は上記のとおりで、ヤキソバやチャーハン等の調理を電子レンジで行うに際して、具材の攪拌が程良く行うことができる調理容器を提供できたものである。
【図面の簡単な説明】
【００１２】
【図１】本考案の実施形態の全体斜視図。
【図２】同蓋体の裏面斜視図。
【図３】同全体の断面図。
【図４】同蓋体の裏面図。
【図５】同使用状態の説明図（ヤキソバ調理）。
【図６】同図（チャーハン調理）。
【考案を実施するための形態】
【００１３】
次に本考案の実施形態について説明する。本考案の電子レンジ用調理容器は、容器体１と蓋体２で構成され、それぞれ電磁波を透過する耐熱材で形成されたもので、容器体１は内径が１５０〜２００ｍｍφの扁平な容器部１１の外周に、鍔状縁部１２を備え、その一部を外周に突出させて両手の把手部１３としてなるものである。
【００１４】
蓋体２は、全体がドーム形状で、裏面に渦巻壁２１を垂設し、前記容器部に嵌合する下方周縁突部２２を設けると共に、下方周縁突部２２の外周を鍔部２３に形成し、更に鍔部２３の一部を、容器体１の把手部１３と対応して突出させ把手部２４としてなる。
【００１５】
渦巻壁２１は、内周壁部２１１と外周壁部２１２からなる二重巻部分と前記の内周壁部２１１と外周壁部２１２とを連続して経が変化する一重壁部２１３で構成され、内周壁径Ｘが３５〜４０ｍｍ（７０〜８０ｍｍφ）で、外周壁径Ｙが６０〜７０ｍｍ（１２０〜１４０ｍｍφ）で、一重壁部２１３は偏心位置での半円の壁で、それぞれ蓋体２の裏面から２５〜３０ｍｍ垂下したもので、ドーム形状に対応して下方に突出してなるものである。
【００１６】
而して前記調理容器でのヤキソバ調理を説明すると、容器部１１に野菜Ａ及び肉Ｂを入れ、その上に蒸し麺Ｃを入れ、粉ソースＤを振りかけ（図５イ）、蓋体２を被冠装着して電子レンジに入れ、加熱調理を行う。
【００１７】
所定時間加熱した後に電子レンジより取り出し、把手部１３，２４を重ねた状態で保持して、上下に回すように数十回振る（図５ロ）。適度に攪拌動作した後に蓋体２を開けると、加熱された野菜Ａ、肉Ｂ、麺Ｃが適度に混ざりあり、ヤキソバとして調理されることになる。この麺Ｃを茹でうどんに替えると、焼うどんの調理ができ、ビーフンに替えると焼きビーフンが調理されることになる。
【００１８】
次にチャーハンの調理例について説明すると、容器部１１に卵Ｅを割り入れ、箸で解きほぐし（図６イ）、ご飯Ｆを入れて溶き卵と混ぜ、レタスＧを入れ（図６ロ）、チャーハンの素（粉末調味料）Ｈを振りかけ（図６ハ）、前記のヤキソバ調理と同様に、蓋体２を被冠装着して電子レンジに入れ、加熱調理を行う。
【００１９】
所定時間加熱した後に電子レンジより取り出し、把手部１３，２４を重ねた状態で保持して、上下に回すように数十回振る（図６ニ）。適度に攪拌動作した後に蓋体２を開けると全体が良く混ざり合い、チャーハンが調理されるものである。
【００２０】
このように所望の具材を容器部１１に入れ、蓋体２を装着した後に電子レンジで加熱し、蓋体２を装着した状態で調理容器全体を保持して上下に振り回すことで、加熱済み具材が渦巻壁に衝突して程良く混ざり合い、所望の料理を調製できるものである。
【符号の説明】
【００２１】
１      容器体
１１    容器部
１２    鍔状縁部
１３    把手部
２      蓋体
２１    渦巻壁
２１１    内周壁部
２１２    外周壁部
２１３    一重壁部
２２    下方周縁突部
２３    鍔部
２４    把手部
【図１】
0003184589.tif 000003
【図２】
0003184589.tif 000004
【図３】
0003184589.tif 000005
【図４】
0003184589.tif 000006
【図５】
0003184589.tif 000007
【図６】
0003184589.tif 000008